(57)【要約】【課題】光ピックアップを光ディスクの内周側に大きく移動させることなく、ピックアップ送り動作とターンテーブル昇降動作とを切替えること。【解決手段】兼用モータ６２及びフィードギヤ６４を含む兼用駆動源機構は、ピックアップ駆動機構及びターンテーブル昇降機構に対する駆動力を発生させる。兼用駆動源機構による駆動力の伝達経路をピックアップ駆動機構に至る経路からターンテーブル昇降機構に至る経路に切替える動作又はその逆に切替える動作を、兼用駆動源機構の駆動力を受けて光ピックアップ５７とは独立した動作によって行う。【選択図】        図８
2004185771.tif 000002
【特許請求の範囲】
【請求項１】
光ディスクが収納及び排出自在で、収納された光ディスクに対して信号の記録又は再生を行うための光ディスク装置であって、
収納された光ディスクを回転可能に支持するターンテーブルと、
前記ターンテーブルを回転駆動する回転駆動源機構と、
収納又は排出される光ディスクとの干渉を回避した下降位置と、収納された光ディスクを支持可能な上昇位置との間で、前記ターンテーブルを昇降させるターンテーブル昇降機構と、
前記ターンテーブルに支持された光ディスクに対して信号の記録又は信号の再生を行う光ピックアップと、
前記光ピックアップを、前記ターンテーブルに支持された光ディスクの内周側と外周側との間で往復移動させるピックアップ駆動機構と、
前記ターンテーブル昇降機構及び前記ピックアップ駆動機構に対する駆動力を発生させる兼用駆動源機構と、
前記兼用駆動源機構による駆動力の伝達経路を、前記ピックアップ駆動機構に至る経路から前記ターンテーブル昇降機構に至る経路に、又は、その逆に、切替える第１の切替動作を行う第１の動作切替機構と、
を備え、
前記第１の動作切替機構は、
前記兼用駆動源機構の駆動力を受けて前記光ピックアップとは独立した動作によって、前記第１の切替動作を行う、光ディスク装置。
【請求項２】
請求項１記載の光ディスク装置であって、
前記兼用駆動源機構は、
兼用モータと、前記兼用モータの回転駆動力を受けて回転するギヤ体を含む動力伝達機構とを備え、
前記ピックアップ駆動機構は、
前記光ピックアップと一体的に設けられ、前記ギヤ体を介して前記兼用モータの回転駆動力を受けて前記光ピックアップを移動させるラック部を備え、
前記第１の動作切替機構は、
少なくとも前記ギヤ体からの駆動力伝達経路が断たれる位置に前記ラック部が移動した状態で、前記ギヤ体を介して前記兼用モータの回転駆動力を受けて移動可能なスライドラックを有し、前記光ピックアップを一定位置に配設した状態で前記スライドラックが移動することで、前記第１の切替動作を行う、光ディスク装置。
【請求項３】
請求項２記載の光ディスク装置であって、
メインシャーシと、
前記メインシャーシに進出退避移動自在に設けられ、前記光ディスクの収納及び排出を行うディスクトレイと、
一端側の揺動変位側端部が前記メインシャーシに対して接近離隔移動自在となるように、他端側の揺動軸側端部が前記メインシャーシに揺動自在に取付けられ、前記揺動変位側端部が前記メインシャーシに接近移動することで前記ターンテーブルが前記上昇位置に移動すると共に前記揺動変位側端部が前記メインシャーシから離隔移動することで前記ターンテーブルが前記下降位置に移動するトラバースシャーシと、
をさらに備え、
前記ターンテーブルと前記回転駆動源機構と前記光ピックアップと前記兼用駆動源機構と前記第１の動作切替機構とが前記トラバースシャーシに設けられ、
前記第１の動作切替機構は、前記スライドラックの移動に応じて移動するトリガープレートをさらに備え、
前記ターンテーブル昇降機構は、
前記トラバースシャーシの前記揺動変位側端部に設けられた被駆動ボスと、前記被駆動ボスが係合可能なカム溝を有し前記トリガープレートの移動に応じて移動自在に前記メインシャーシに設けられたスライダ部材とを備え、
前記トリガープレートの移動に応じて前記スライダ部材が移動することで、前記カム溝内を移動する前記被駆動ボスが前記メインシャーシに対して接近又は離隔移動されて、前記トラバースシャーシの前記揺動変位側端部が前記メインシャーシに対して接近離隔移動する、光ディスク装置。
【請求項４】
請求項３記載の光ディスク装置であって、
前記兼用駆動源機構の駆動力を受けて、前記ディスクトレイを前記メインシャーシから進出退避移動させるディスクトレイ搬送機構と、
前記兼用駆動源機構による駆動力の伝達経路を、前記ピックアップ駆動機構に至る経路から前記ディスクトレイ搬送機構に至る経路に、又は、その逆に、切替える第２の切替動作を行う第２の動作切替機構と、
をさらに備え、
前記メインシャーシに、第１の歯車部と第２の歯車部とを有し前記兼用駆動源機構の駆動力を受けて回転可能なトレイギヤ体が設けられ、
前記スライダ部材は、前記第１の歯車部に噛合可能なスライダ用ラック部を有し、
前記ディスクトレイ搬送機構は、前記ディスクトレイの進出退避方向に沿って設けられ前記第２の歯車部に噛合可能なトレイラック部を有し、
前記第２の動作切替機構は、前記ディスクトレイに設けられ前記進出退避方向に直交する方向に沿った第１のガイド溝と前記進出退避方向に対して斜行する方向に沿った第２のガイド溝と前記進出退避方向に沿った第３のガイド溝とが連続して設けられたトレイガイド溝と、前記スライダ部材に設けられ前記トレイガイド溝内を移動するボス部とを有し、
前記ボス部が前記第１のガイド溝内を通過する区間では、前記第１の歯車部が前記スライダ用ラック部と歯合して前記トレイギヤの回転により前記スライダ部材を移動させ、前記ボス部が第２のガイド溝内を移動する区間では、当該ボス部が前記第２のガイド溝内を移動する力を受けた前記ディスクトレイの進出又は退避方向への移動により、前記第１の歯車部と前記スライダ用ラック部との噛合状態から前記第２の歯車部と前記トレイラック部との噛合状態へ移行し、或は、逆に移行し、前記ボス部が前記第３のガイド溝内を通過する区間では前記第２の歯車部と前記トレイラック部とが噛合して前記トレイギヤの回転により前記ディスクトレイを進出退避移動させる、光ディスク装置。
【請求項５】
請求項４記載の光ディスク装置であって、
前記第１の歯車部のピッチ円半径は、前記第２の歯車部のピッチ円半径よりも小さい、光ディスク装置。
【請求項６】
請求項４又は請求項５のいずれかに記載の光ディスク装置であって、
前記第１の歯車部と前記第２の歯車部とは、同数の歯を有している、光ディスク装置。
【請求項７】
請求項３〜請求項６のいずれかに記載の光ディスク装置であって、
前記トリガープレートは歯部を有し、
前記トリガープレートが移動する途中で、前記歯部を介して前記兼用駆動源機構からの駆動力が伝達される、光ディスク装置。
【請求項８】
請求項７記載の光ディスク装置であって、
前記スライダ部材が前記トリガープレートを移動させる速度と、前記歯部を介して前記兼用駆動源機構からの駆動力を受けて前記スライダ部材が移動させられる速度とが略同じである、光ディスク装置。
【請求項９】
請求項３〜請求項８のいずれかに記載の光ディスク装置であって、
前記スライダ部材をその移動可能範囲における一方端側に付勢する付勢部材を、さらに備えた光ディスク装置。
【請求項１０】
請求項３〜請求項９のいずれかに記載の光ディスク装置であって、
前記兼用駆動源機構は、電源オン後に、前記光ピックアップを一旦収納された光ディスクの外周側に移動させる、光ディスク装置。
【請求項１１】
請求項３〜請求項１０のいずれかに記載の光ディスク装置であって、
前記トリガープレートは、
前記光ピックアップが収納される光ディスクの内周側に配設されると共に前記兼用駆動源機構による駆動力の伝達経路が前記ピックアップ駆動機構に至る経路から前記ターンテーブル昇降機構に至る経路に切替える動作を行う前の状態で、前記光ピックアップ側又は前記スライドラック側と当接して、自己の移動を抑止する誤作動防止壁を有する、光ディスク装置。
【請求項１２】
請求項３〜請求項１１のいずれかに記載の光ディスク装置であって、
前記スライダ部材の移動位置に基づいて前記ディスクトレイが進出した状態にあるか否かを検出するための第１検出部と、前記光ピックアップの移動位置を検出するための第２検出部とが前記トラバースシャーシ側に設けられている、光ディスク装置。
【請求項１３】
請求項１２記載の光ディスク装置であって、
前記トラバースシャーシに、中継基板が設けられ、
前記第１検出部と前記第２検出部とが、前記中継基板上に設けられている、光ディスク装置。
【発明の詳細な説明】
【０００１】
【発明の属する技術分野】
この発明は、例えばコンパクト・ディスク（いわゆるＣＤ）やディジタル・バーサタイル・ディスク（いわゆるＤＶＤ）等、情報記録媒体としての光ディスクに信号を記録し又は記録された信号を再生するための光ディスク装置に関する。
【０００２】
【従来の技術】
光ディスク装置として、装置の前側パネルに開口部が形成されており、ディスクトレイが当該開口部から出入りする構成のものがある。この光ディスク装置では、開口部から出てきたディスクトレイ上に光ディスクが載置された後、該光ディスクがディスクトレイと共に装置内部の所定位置に引込まれるようになっている。
【０００３】
この種のディスク装置では、光ディスクが装置内部に引込まれ収納された後、ターンテーブルが所定の下降位置から所定の上昇位置に上昇して、光ディスクが当該ターンテーブル上に載置されると共に該ターンテーブルとクランパとの間に挟込んで保持される。そして、この状態で、該ターンテーブルの回転により光ディスクが所定の回転数で回転されるようになっている。
【０００４】
そして、例えば再生動作の場合には、この光ディスクに記録された信号を記録再生装置により再生する。すなわち、光ディスクの所定範囲に記録された信号のトラック位置に応じて、信号読み取りのための光ピックアップを光ディスクの外周側と内周側との間で往復移動させることにより、所定の情報信号の再生が行われるようになっている。
【０００５】
ところで、上述したようなタイプの光ディスク装置では、モータ等による駆動力を要する基本的な動作として、ディスクトレイを装置の内外に往復移動させて光ディスクを装置内部又は外部に向けて搬送するディスク搬送動作と、ターンテーブルを所定の下降位置と所定の上昇位置との間で往復移動させるターンテーブル昇降動作と、ターンテーブルを回転駆動させて光ディスクを回転させるディスク回転動作と、光ピックアップを光ディスクの外周側と内周側との間で往復移動させるピックアップ送り動作と、計４つの動作が必要とされる。
【０００６】
一般的には、上述した４つの動作に対しては、ディスク回転動作とピックアップ送り動作とがそれぞれ専用のモータで行われ、ディスク搬送動作とターンテーブル昇降動作とが１個のモータにより連続して行われていた。
【０００７】
これに対して、従来技術として、上記ディスク搬送動作と上記ターンテーブル昇降動作と上記ピックアップ送り動作との計３つの動作が１個のモータで連続して行われ、上記のディスク回転動作を含めた全動作が合計２個のモータで行えるように光ディスク装置がある（例えば、特許文献１参照。）。
【０００８】
この光ディスク装置では、光ピックアップを光ディスクのデータエリアより更に内周側に移動させる動作に連動させて動力伝達機構切替機構を動作させて、モータの駆動力をピックアップ送り動作用の駆動機構とターンテーブル昇降動作用の駆動機構との間で切替えて伝達するようにしていた。
【０００９】
【特許文献１】
特開２０００−２２２８０３号公報
【００１０】
【発明が解決しようとする課題】
しかしながら、特許文献１に開示の光ディスク装置では、動力伝達機構切替機構の動作自体が、光ピックアップ自体が光ディスクのデータエリアより更に内周側に移動する動作に連動して行われる。このため、ピックアップ送り動作とターンテーブル昇降動作とを切替えるためには、光ピックアップを光ディスクのデータエリアより更に大きく内周側に移動させる必要がある。ところが、光ディスクの外周側の中心部近傍には、ディスク回転動作用のスピンドルモータが配設されている。
【００１１】
このため、光ピックアップが光ディスクのデータエリアより内周側に移動する際、光ピックアップがスピンドルモータの外周部と干渉することを避けるため、スピンドルモータの取付面とターンテーブル背面との間に、光ピックアップが移動可能な空間を設ける必要がある。
【００１２】
そのためには、例えば、スピンドルモータの取付面から約２０ｍｍ程度と非常に長く突出した回転軸を持つスピンドルモータを用いると共に（一般には８ｍｍ程度）、光ピックアップ自体についてもその高さが２０ｍｍ程度以下である比較的薄型のものを用いる構成が採用される。
【００１３】
ところが、回転軸の軸ぶれは、スピンドルモータの取付面からターンテーブル背面（もしくはディスク載置面）までの距離（即ち、回転軸の長さ）に比例して増大してしまうため、当該距離が長くなってしまうと、ターンテーブルと一体的に回転する光ディスクの偏芯量（回転軸のぶれ）もそれに応じて増大し、場合によっては、光ディスクに対する信号の記録又は再生ができなくなってしまう恐れがある。
【００１４】
また、高さが２０ｍｍ程度の比較的薄型の光ピックアップでは、レーザの光路を光ディスクに対するレーザの照射方向に対して屈折させる必要があるため、屈折のないタイプと比べると光学部品の追加などが発生しコストが上昇する。つまり、安価な光ピックアップを使用できず、安価に装置を構成できないという問題を有していた。
【００１５】
そこで、この発明の課題は、光ピックアップと光ディスクを回転駆動する回転駆動源との干渉を避けつつ、同じ駆動源を用いてピックアップ送り動作とターンテーブル昇降動作とが可能な光ディスク装置を提供することにある。
【００１６】
【課題を解決するための手段】
上記課題を解決すべく、本発明は、光ディスクが収納及び排出自在で、収納された光ディスクに対して信号の記録又は再生を行うための光ディスク装置であって、収納された光ディスクを回転可能に支持するターンテーブルと、前記ターンテーブルを回転駆動する回転駆動源機構と、収納又は排出される光ディスクとの干渉を回避した下降位置と、収納された光ディスクを支持可能な上昇位置との間で、前記ターンテーブルを昇降させるターンテーブル昇降機構と、前記ターンテーブルに支持された光ディスクに対して信号の記録又は信号の再生を行う光ピックアップと、前記光ピックアップを、前記ターンテーブルに支持された光ディスクの内周側と外周側との間で往復移動させるピックアップ駆動機構と、前記ターンテーブル昇降機構及び前記ピックアップ駆動機構に対する駆動力を発生させる兼用駆動源機構と、前記兼用駆動源機構による駆動力の伝達経路を、前記ピックアップ駆動機構に至る経路から前記ターンテーブル昇降機構に至る経路に、又は、その逆に、切替える第１の切替動作を行う第１の動作切替機構と、を備え、前記第１の動作切替機構は、前記兼用駆動源機構の駆動力を受けて前記光ピックアップとは独立した動作によって、前記第１の切替動作を行うものである。
【００１７】
【発明の実施の形態】
＜基本的構成＞
まず、光ディスク装置全体の概略構成を説明する。図１は光ディスク装置のディスクトレイが進出した状態を上斜め方向より見た斜視図、図２は光ディスク装置のディスクトレイが進出した状態を下斜め方向より見た斜視図、図３は光ディスク装置のディスクトレイが退避した状態を上斜め方向より見た斜視図、図４は光ディスク装置のディスクトレイが退避した状態を下斜め方向より見た斜視図である。なお、本実施の形態全体において、説明の便宜上、ディスクトレイの進出退避方向に平行な軸をＹ軸（ディスクトレイの退避方向を（＋）Ｙ方向、進出方向を（−）Ｙ方向とする）、ディスクトレイにおける光ディスクの載置面において上記Ｙ軸と直交する軸をＸ軸（Ｙ軸（＋）方向に向いて右側を（＋）Ｘ方向、左側を（−）Ｘ方向とする）、ディスクトレイにおける光ディスクの載置面に直交する軸をＺ軸（光ディスクの載置面側を（＋）Ｚ方向、反対側を（−）Ｚ方向とする）として説明する。
【００１８】
この光ディスク装置１は、メインシャーシ１１と、このメインシャーシ１１に揺動自在に支持されたトラバースシャーシ５１とを備えている。
【００１９】
メインシャーシ１１は、本光ディスク装置１の基体をなす構成要素であり、このメインシャーシ１１に、進出退避移動自在なディスクトレイ１２及びクランパ１８が取付けられている。
【００２０】
より具体的には、メインシャーシ１１は、ディスクトレイ１２を収容可能な方形枠状体１１ｐを有している。この方形枠状体１１ｐにディスクトレイ１２を挿通可能な開口部１１ｈが形成されている。
【００２１】
上記ディスクトレイ１２は、上記方形枠状体１１ｐ内に収容可能な概略方形板状体に形成されており、この一方主面側に、光ディスクを該ディスクトレイの所定位置に載置するための受皿部１２ｆが設けられている。
【００２２】
このディスクトレイ１２は、Ｙ軸方向に沿って往復動作することで、上記開口部１１ｈ内を通ってメインシャーシ１１の方形枠状体１１ｐ内に退避し或は方形枠状体１１ｐ内より外部に進出移動する。ディスクトレイ１２がメインシャーシ１１の外部に進出した状態で受皿部１２ｆに光ディスクが載置され、この後、ディスクトレイ１２がメインシャーシ１１内に退避移動することで、光ディスクが光ディスク装置１内に収納される。また、光ディスクが光ディスク装置１内に収納された状態からディスクトレイ１２がメインシャーシ１１の外部に進出移動することで、光ディスクが本光ディスク装置１より排出されることとなる。
【００２３】
また、メインシャーシ１１の両側片間に掛渡すようにして桟片１１ｑが設けられており、この桟片１１ｑに回転自在にクランパ１８が支持されている。
【００２４】
このクランパ１８は、Ｙ軸方向に沿って往復移動するディスクトレイ１２及び光ディスクと干渉しないように、それらディスクトレイ１２及び光ディスクの移動軌跡の高さ位置よりも上側（（＋）Ｚ方向側）の位置に支持されている。また、クランパ１８の内部にはマグネット１７（図１０参照）が収納されており、該マグネット１７の磁力によってクランパ１８と後述するターンテーブル５２とが吸引し合うことによって、該クランパ１８とターンテーブル５２との間に光ディスクを圧着保持する。
【００２５】
また、トラバースシャーシ５１は、上記方形枠状体１１ｐ内に納る程度の平面視の大きさを有する基体であり、ディスクトレイ１２の退避方向側（（＋）Ｙ方向側）の揺動軸側端部が所定の揺動軸Ｐ１（図２及び図４参照）を中心にしてメインシャーシ１１に回動自在に支持されている。
【００２６】
例えば、次の構成により回動自在に支持されている。即ち、トラバースシャーシ５１の揺動軸側端部の両側部にＸ軸方向に沿って延びる一対の回動軸５１ａ，５１ｂが突出形成されている。また、メインシャーシ１１側に、略Ｕ字状の軸支支部１１ａ，１１ｂと弾性変形可能な軸保持部１１ｃ，１１ｄとにより上記回動軸５１ａ，５１ｂを回動自在に保持可能な一対の軸受部が構成されている（図４参照）。そして、一対の回動軸５１ａ，５１ｂが上述の一対の軸受部に上記揺動軸Ｐ１を中心にして回動自在に軸受けされることで、トラバースシャーシ５１が揺動自在に支持されることとなる。
【００２７】
このトラバースシャーシ５１のうち、ディスクトレイ１２の進出方向側（（−）Ｙ方向側）の揺動変位側端部の先端部近傍には、ターンテーブル５２が設けられている。このターンテーブル５２は、鉄等の磁力により引寄せられる性質を持つ材料により形成されており、クランパ１８との間で光ディスクを挟持する。この状態で、後述する回転駆動源機構としてのスピンドルモータ５４（図５参照）の駆動力を受けて光ディスクと一体的に回転する。
【００２８】
また、トラバースシャーシ５１には、光ピックアップ５７がＹ軸方向方向に沿って移動可能に支持されている。この光ピックアップ５７は、光ディスクに信号を記録し又は光ディスクに記録された信号を再生する。
【００２９】
以下の説明では、トラバースシャーシ５１と、このトラバースシャーシ５１に組込まれたターンテーブル５２や光ピックアップ５７等の諸部品により構成される部分をトラバースユニット５０と称し、それ以外の諸部品、即ち、メインシャーシ１１及びそのメインシャーシに組込まれたディスクトレイ１２等を含む諸部品により構成される部分をローディングユニット１０と称する（図１０参照）。
【００３０】
次に、本光ディスク装置１の概略動作について説明する。
【００３１】
図２に示すように、ディスクトレイ１２が本装置１の外部に進出した状態では、ターンテーブル５２や光ピックアップ５７等が配されたトラバースシャーシ５１は、装置１内部に引込まれる光ディスクとターンテーブル５２との干渉を避けるために、回動軸５１ａ、５１ｂを中心にトラバースシャーシ５１の揺動変位側端部をターンテーブル５２から離間させる方向に揺動し、メインシャーシ１１に対して傾斜した状態となっている（図１４参照）。
【００３２】
そして、ディスク搬送機構（詳細は後述）によりディスクトレイ１２が退避移動しメインシャーシ１１内に引き込まれると、光ディスクがターンテーブル５２の真上位置まで到達した時点で、トラバースシャーシ５１はターンテーブル昇降機構（詳細は後述）により揺動軸Ｐ１を中心に揺動しメインシャーシ１１に平行な状態となる（図１３参照）。この動作によりターンテーブル５２が上昇する。
【００３３】
ターンテーブル５２の上昇により、クランパ１８はその内部のマグネット１７の吸引力によりターンテーブル５２に引きつけられ、光ディスクはクランパ１８とターンテーブル５２との間に挟持される。この状態で、ターンテーブル５２に直結された後述のスピンドルモータ５４の回転駆動により、光ディスクがターンテーブル５２と共に所定の回転数で回転される。そして、光ピックアップ５７がピックアップ駆動機構（詳細は後述）により光ディスクの所定半径方向（図中Ｙ軸方向）に移動されて光ディスク上の所定のデータエリアに対して情報信号が記録され又は再生される。なお、情報信号の記録又は再生を終えた光ディスクは、上記の動作と逆方向の動作が順次行われることにより装置１外部に排出される。
【００３４】
＜トラバースユニットの説明＞
トラバースユニット５０の構成をより詳細に説明する。図５はトラバースユニット５０を示す分解斜視図である。トラバースシャーシ５１は、上述したようにトラバースユニット５０の基体を成す構成要素であり、その揺動軸側端部の両側部に上記一対の回動軸５１ａ，５１ｂが突出形成されると共に、トラバースシャーシ５１の揺動変位側端部の端面に被駆動ボス部５１ｃが突出形成されている。この被駆動ボス部５１ｃは、後に詳述するように、スライダ部材としてのカムスライダ１５の第１のカム溝１５ａ内に配設されており、ディスクトレイ１２の進出退避移動に連動してトラバースシャーシ５１が揺動する構成となっている。
【００３５】
また、このトラバースシャーシ５１のうち上記揺動変位側端部近傍に、ターンテーブル５２及びスピンドルモータ５４が設けられている。
【００３６】
スピンドルモータ５４は、その回転軸５４ａをディスクトレイ１２側に指向させた姿勢で、トラバースシャーシ５１に固定されている。この回転軸５４ａの先端部がターンテーブル５２の中心孔に圧入されることで、ターンテーブル５２がトラバースシャーシ５１のうちディスクトレイ１２側で回転可能に支持されている。そして、スピンドルモータ５４の回転駆動により、ターンテーブル５２が回転されるようになっている。
【００３７】
光ピックアップ５７は、トラバースシャーシ５１のうちディスクトレイ１２側であって、上記ターンテーブル５２と揺動軸側端部との間に設けられている。なお、トラバースシャーシ５１のうち、この光ピックアップ５７の配設領域及びＹ軸方向における前後領域には、光ピックアップ５７との干渉を避けるべく所要の開口が形成されている。
【００３８】
この光ピックアップ５７は、Ｙ軸方向に沿って配設された主軸ガイド６０によって、Ｙ軸方向に沿って移動自在に案内支持されている。
【００３９】
すなわち、主軸ガイド６０は棒状に形成されている。この該主軸ガイド６０の一端部（（＋）Ｙ方向側端部）が皿ねじ６１にてトラバースシャーシ５１に固定されると共に、主軸ガイド６０の他端部（（−）Ｙ方向側端部）の端部がトラバースシャーシ５１に形成された軸受穴（図示省略）に嵌合支持固定されている。そして、光ピックアップ５７の一側部が、主軸ガイド６０の長手方向中間部分にスライド自在に挿通支持されることで、該光ピックアップ５７がＹ軸方向に沿って移動自在に支持されている（図７〜図９参照）。なお、光ピックアップ５７の他側部は、トラバースシャーシ５１上を摺動可能な摺動部に形成されている。
【００４０】
また、光ピックアップ５７の一側部であって主軸ガイド６０の外側部分に、ラック部５７ａが設けられている。さらに、このラック部５７ａ上に、当該ラック部５７ａに対してＹ軸方向に沿って移動可能にスライドラック５８が設けられている。
【００４１】
このスライドラック５８には、上記ラック部５７ａにおけるラック歯と同様配列及び同様形状のラック歯が形成されており、フィードギヤ６４の小歯車部６４ｂがラック部５７ａ及びスライドラック５８に噛合するようになっている。
【００４２】
また、このスライドラック５８の長手方向（移動方向）におけるラック歯の形成領域長は、上記ラック部５７ａにおけるラック歯の形成領域長よりも大きくなっている。このスライドラック５８は、付勢手段としてのバネ５９によりラック部５７ａに対してＹ軸方向に沿って付勢されている。具体的には、このバネ５９の付勢力により、スライドラック５８のラック歯形成領域における光ディスク内周側の端部がラック部５７ａのラック歯形成領域における光ディスク内周側の端部に略一致すると共に、スライドラック５８のラック歯形成領域における光ディスクの外周側端部がラック部５７ａのラック歯形成領域における光ディスクの外周側端部より若干突出した状態となるように、付勢されている。これにより、光ディスクに対する情報の記録又は再生状態においては、フィードギヤ６４の小歯車部６４ｂが、ラック部５７ａ及びスライドラック５８の双方に噛合する状態となっている（図７参照）。また、光ディスクに対する情報の記録又は再生の前後における第１の切替動作段階（後述する）においては、ラック部５７ａが、上記情報の記録又は再生状態における移動範囲の内周側位置よりも光ディスクの内周側に移動して（即ち、情報の記録又は再生状態における移動範囲の内周側位置よりも僅かに内周側の最内周側位置に移動して）、ラック部５７ａのラック歯形成領域がフィードギヤ６４の小歯車部６４ｂよりも光ディスクの内周側に位置して当該ラック部５７ａと小歯車部６４ｂとの噛合状態が解除され、かつ、スライドラック５８と小歯車部６４ｂとの噛合状態が維持された状態となる。
【００４３】
また、ラック部５７ａのうちターンテーブル５２側端部（即ち、本装置１内に収納された光ディスクの内周側端部）にスイッチ押圧部５７ｂが設けられている。そして、ラック部５７ａが前述の最内周側位置に移動した状態で、当該スイッチ押圧部５７ｂが後述する第２のスイッチ７２を押圧する。この状態で、光ピックアップ５７又はラック部５７ａがトラバースシャーシ５１側の固定部材に当接し、光ピックアップ５７又はラック部５７ａの（−）Ｙ方向への移動は抑止されている。
【００４４】
また、この状態で、フィードギヤ６４が所定方向に回転を続けることで、ラック部５７ａを一定位置に維持した状態でバネ５９に付勢力に抗してスライドラック５８をラック部５７ａに対して（−）Ｙ方向に移動させることができる。また、前述の状態で、フィードギヤ６４を前記所定方向とは逆方向に回転させて、スライドラック５８を（＋）Ｙ方向に移動させると、バネ５９によりスライドラック５８が（＋）Ｙ方向に引寄せられるように移動し、小歯車部６４ｂがラック部５７ａと噛合するようになる。
【００４５】
なお、バネ５９は、スライドラック５８とフィードギヤ６４の小歯車部とが噛合する際のバックラッシュを防止する機能をも有している。また、スライドラック５８のうちターンテーブル５２側（光ディスクの内周側）の端部に、後述するトリガープレート６９のカム溝６９ｂに係合可能なボス部５８ａが突出形成されている。
【００４６】
また、トラバースシャーシ５１のうち光ピックアップ５７の一側方部分に兼用モータ６２が設けられている。この兼用モータ６２は、ディスク搬送動作とターンテーブル昇降動作とピックアップ送り動作との駆動源として用いられる。この兼用モータ６２はねじ７３にてトラバースシャーシ５１に固定されており、その回転軸はウオームギヤ６３に圧入されている。
【００４７】
さらに、トラバースシャーシ５１にフィードギヤ６４が回転可能に支持されている。フィードギヤ６４は下側のハスバ歯車である大歯車部６４ａと上側の平歯車である小歯車部６４ｂとを有している。大歯車部６４ａがウオームギヤ６３と噛合すると共に、小歯車部６４ｂが光ピックアップ５７のラック部５７ａ及びスライドラック５８とガタ無く噛合うようになっている。
【００４８】
また、トラバースシャーシ５１には、第１のギヤ６５、第２のギヤ６６、第３のギヤ６７及び第４のギヤ６８が回転可能に支持されている。
【００４９】
第１のギヤ６５は、下側の平歯車である大歯車部６５ａと上側の平歯車である小歯車部６５ｂとを有している。第２のギヤ６６は、平歯車部６６ａを有している。第３のギヤ６７は、所定径の円板部６７ｃの上下に、歯数及び歯のモジュールが略同一の平歯車部６７ａを一対有している（下側の平歯車については図示省略）。第４のギヤ６８は、平歯車部６８ａを有しており、その平歯車部６８ａの周方向の一部がトラバースシャーシ５１の外周部をはみ出してその外形を超える位置に配されている。この平歯車部６８ａは後述するメインシャーシ１１上のトレイギヤ１３（後述する）と常時噛み合っている。
【００５０】
そして、第１のギヤ６５の大歯車部６５ａがフィードギヤ６４の大歯車部６４ａと噛合し、第１のギヤ６５の小歯車部６５ｂが第２のギヤ６６の平歯車部６６ａと噛合し、第２のギヤ６６の平歯車部６６ａが第３のギヤ６７の下側の平歯車部と噛合し、第３のギヤ６７の下側の平歯車部はさらに第４のギヤ６８の平歯車部６８ａに噛合している。これらフィードギヤ６４，第１のギヤ６５，第２のギヤ６６，第３のギヤ６７及び第４のギヤ６８が兼用モータ６２の回転駆動力を受けて駆動力を各機構に伝達する動力伝達機構を構成しており、また、この動力伝達機構と兼用モータ６２が、各機構に対する駆動力を発生させる兼用駆動源機構を構成している。
【００５１】
これら複数のギヤ６４，６５，６６，６７，６８の適宜組合せにより、兼用モータ６２による回転が所望の回転数に減速されて各ギヤ６４，６５，６６，６７，６８に伝達されるようになっている。
【００５２】
また、トラバースシャーシ５１のうち揺動変位側端部に、おおよそＸ軸方向に沿って移動自在に、トリガープレート６９が支持されている。図６はトリガープレート６９を示す斜視図である。
【００５３】
このトリガープレート６９は、概略長尺全体形状に形成されており、その一端側の一方側側部に、後述するカムスライダ１５と係合可能なボス部６９ａが突設されている。このボス部６９ａはメインシャーシ１１側の案内溝１１ｆにも挿入され、これにより、本トリガープレート６９の案内支持がなされる。
【００５４】
また、トリガープレート６９の他端部に略Ｕ字状の凹部６９ｇが形成されると共に、この凹部６９ｇの一側部に一筋の突起状の歯部６９ｄが形成されている。凹部６９ｇ内で上記第３のギヤ６７の上側の平歯車部６７ａが回転することで、歯部６９ｄが当該平歯車部６７ａと噛合する。これにより、トリガープレート６９が前記兼用モータ６２の駆動力を受けて所定方向に移動させられるようになっている。
【００５５】
また、トリガープレート６９の他端部であって上記凹部６９ｇよりもトリガープレート６９の中間部よりの他方側側部に、カム溝６９ｂが形成されている。カム溝６９ｂは、スライドラック５８のボス部５８ａが係合可能な溝状に形成されており、その延在方向の途中部分で屈曲している。スライドラック５８が（−）Ｙ方向に移動して、ボス部５８ａがカム溝６９ｂ内を挿入されて該カム溝６９ｂ内を移動することで、当該ボス部５８ａがカム溝６９ｂの屈曲形状に応じた方向にガイドされる。
【００５６】
さらに、トリガープレート６９の他端部であってカム溝６９ｂの外側部分に誤作動防止壁６９ｃが突出形成されている。この誤作動防止壁６９ｃは、光ピックアップ５７が情報の記録又は再生状態における移動範囲のうちディスク内周側に位置する状態、即ち、第２の切替動作を行う前の状態で、スライドラック５８のボス部５８ａと当接し、トリガープレート６９が（＋）Ｘ方向に移動するのを阻止する役割を果す。
【００５７】
また、トラバースシャーシ５１のうちディスクトレイ１２とは反対側に、中継基板７０が取付けられている。中継基板７０は、スピンドルモータ５４や兼用モータ６２からの接続線が接続される基板である。この中継基板７０には、ディスクトレイ１２が進出移動された状態を後述するカムスライダ１５の変位により検出する第１のスイッチ７１と光ピックアップ５７がディスク内周に位置している状態或はターンテーブル５２の上昇動作が完了した状態を光ピックアップ５７のスイッチ押圧部５７ｂの変位により検出する第２のスイッチ７２が配されている。
【００５８】
このように構成されたトラバースユニット５０において、まず、ピックアップ送り動作を説明する。図７は、ピックアップ送り動作中において光ピックアップが光ディスクの外周側の位置にある状態におけるトラバースユニット５０を示す斜視図である。
【００５９】
まず、兼用モータ６２の回転駆動力によりウオームギヤ６３が回転すると、フィードギヤ６４の大歯車部６４ａはウオームギヤ６３により兼用モータ６２による回転に応じた方向に回転させられる。フィードギヤ６４の小歯車部６４ｂと光ピックアップ５７のラック部５７ａの噛合により、フィードギヤ６４の回転が光ピックアップ５７を主軸ガイド６０に沿ってＹ軸方向に沿って移動させる駆動力として該光ピックアップ５７に伝達される。このようにして、兼用モータ６２の回転方向に応じて、光ピックアップ５７がＹ軸に沿って往復移動する。そして、例えば再生動作の場合、光ピックアップ５７は、光ディスク上において読出したい所望の情報信号が記録された所定位置に移動し、該情報信号を再生する。ラック部５７ａを含む機構が光ピックアップ５７を光ディスクの内周側と外周側との間に往復移動させるピックアップ駆動機構を構成している。
【００６０】
なお、この際、フィードギヤ６４の小歯車部６４ｂとスライドラック５８との噛合により、該スライドラック５８も光ピックアップ５７と同じ方向にＹ軸に沿って往復移動する。
【００６１】
本光ディスク装置１では、兼用モータ６２の回転軸にウオームギヤ６３を圧入し、該ウオームギヤ６３とフィードギヤ６４の大歯車部６４ａとを噛合させることで、フィードギヤ６４を回転させているため、次の利点がある。
【００６２】
すなわち、一般に、ピックアップ送り動作の駆動源としてのモータの回転軸には、平歯車が取付けられていることが多い。この場合、該回転軸の平歯車を、光ピックアップ送り動作用の別の平歯車に噛合させることとなる。
【００６３】
ところが、光ディスク上のデータを高速に検索する場合などには、このモータの回転数は毎分数千回転に達し、このモータの回転軸側の平歯車とこの平歯車に噛合する平歯車の間で、歯のピッチ誤差による耳障りなたたき音が発生する。このため、後者の平歯車にはナイロン等を材料とする比較的柔らかい材料を用いて上記のたたき音を抑制するなどの措置がとられる。しかしながら、このナイロン等の材料は非常に高価なものであり、例えば、プラスチック歯車の材料として用いられる最も代表的なポリアセタール等に比べると５倍程度の材料費を要する。
【００６４】
一方、この光ディスク装置１における兼用モータ６２は、上述したような検索動作で兼用モータ６２の回転数が毎分数千回転に達したような場合でも、ウオームギヤ６３と噛み合うフィードギヤ６４が毎分数百回転程度と十分減速されることとなるため、歯のピッチ誤差による耳障りなたたき音が発生し難い。したがって、フィードギヤ６４にナイロン等の高価な材料を用いる必要なく一般的なプラスチック等の材料を用いても、非常に静粛なピックアップ送り動作が得られるという利点がある。
【００６５】
次に、トラバースユニット５０において、ピックアップ送り動作からターンテーブル昇降動作に移行する際の第１の切替動作について説明する。
【００６６】
図８は光ピックアップ５７が最内周側位置に移動した状態におけるトラバースユニット５０を示す斜視図であり、図９は図８の状態の後さらにスライドラック５８が（−）Ｙ方向に移動した状態におけるトラバースユニット５０を示す斜視図である。
【００６７】
図７に示すように光ピックアップ５７が光ディスクの外周側の位置にある場合、光ピックアップ５７は兼用モータ６２の回転により（−）Ｙ方向に移動され、光ディスクのデータエリアの内周側位置に移動する。
【００６８】
この後、光ピックアップ５７がさらに（−）Ｙ方向の最内周側位置に移動すると、当該最内周側位置付近で、スライドラック５８のボス部５８ａがトリガープレート６９のカム溝６９ｂ内に入り込むように係合する（図７の矢符Ｑ１参照）。これにより、ボス部５８ａが（−）Ｙ方向へ移動するのに合わせて、トリガープレート６９が（＋）Ｘ方向へ移動可能な状態となる（図８の矢符Ｑ２参照）。
【００６９】
そして、光ピックアップ５７が動作ストロークの内周側終端位置に到達した状態では、光ピックアップ５７の第２のスイッチ７２がスイッチ押圧部５７ｂを押圧し、これにより光ピックアップ５７が動作ストロークの内周側終端位置に位置したことを検出される。同時に、光ピックアップ５７のラック部５７ａとフィードギヤ６４の小歯車部６４ｂとの噛合が解除されると共に、スライドラック５８と小歯車部６４ｂとが噛合した状態に移行する。同時に、第３のギヤ６７の上側の平歯車部６７ａがトリガープレート６９の凹部６９ｇ内に配設された状態となる。
【００７０】
これ以後の動作で第１の切替動作におけるピックアップ送り動作からターンテーブル昇降動作の切り替えが行われる。
【００７１】
兼用モータ６２が更に回転を続けると、光ピックアップ５７は既に動作ストロークの内周側終端に位置し光ピックアップ５７のラック部５７ａとフィードギヤ６４の小歯車部６４ｂの噛み合いが解除された状態にあるから、図９に示すように、光ピックアップ５７を一定位置に配設した状態で、スライドラック５８のみが上記小歯車部６４ｂとの噛合によってばね５９の付勢力に抗して（−）Ｙ方向へ移動する。
【００７２】
このスライドラック５８の移動によって、ボス部５８ａがトリガープレート６９のカム溝６９ｂに駆動力を作用させトリガープレート６９を（＋）Ｘ方向に移動させる。このトリガープレート６９の移動に連動して後述するカムスライダ１５が動作することにより、ターンテーブル５２の昇降動作が開始されることとなる。このカムスライダ１５の動作については後に詳述する。
【００７３】
また、フィードギヤ６４の小歯車部６４ｂとスライドラック５８との噛合によりトリガープレート６９が移動する途中で、そのトリガープレート６９の歯部６９ｄと第３のギヤ６７の上側平歯車部６７ａとの噛み合いが開始される（図８参照）。これ以降、トリガープレート６９側の歯部６９ｄと第３のギヤ６７の上側平歯車部６７ａとの噛合いによっても、トリガープレート６９は（＋）Ｘ方向に移動させられる（図８の矢符Ｑ２参照）。すなわち、トリガープレート６９は、その移動途中段階では、フィードギヤ６４からスライドラック５８及びボス部５８ａ，カム溝６９ｂを介して伝達される駆動力と、第３のギヤ６７からその上側平歯車部６７ａと歯部６９ｄを介して伝達される駆動力との双方により、（＋）Ｘ方向に移動させられる。
【００７４】
そして、トリガープレート６９がさらに（＋）Ｘ方向に移動させられる途中では、スライドラック５８とフィードギヤ６４との噛み合いが解除されて、第３のギヤ６７からその上側平歯車部６７ａと歯部６９ｄを介して伝達される駆動力によってトリガープレート６９が（＋）Ｘ方向に移動される（図９参照）。なお、トリガープレート６９がさらに（＋）Ｘ方向に移動されてその終端に達する手前で、歯部６９ｄと第３のギヤ６７との噛合いも解除される（図９参照）。これ以降の動作は後に説明する。
【００７５】
上記スライドラック５８と、トリガープレート６９を含む諸要素により第１の動作切替機構が構成される。
【００７６】
なお、ボス部５８ａとカム溝６９ｂとの係合によってスライドラック５８がトリガープレート６９を移動させる速度と、第３のギヤ６７の上側平歯車部６７ａのピッチ円上における速度（換言すると、第３のギヤ６７がトリガープレート６９を移動させる速度）は略一致するように設計されている。そして、フィードギヤ６４からスライドラック５８及びボス部５８ａ，カム溝６９ｂを介して伝達される駆動力による移動速度に応じて、トリガープレート６９の歯部６９ｄと上記第３のギヤ６７の間欠的な噛み合いが滑らかに行われるようになっている。
【００７７】
このトラバースユニット５０において、ターンテーブル昇降動作からピックアップ送り動作に移行する際の切替動作は上記と逆の動作によって行われる。
【００７８】
＜ローディングユニットの説明＞
次に、ローディングユニット１０の構成をより詳細に説明する。図１０は本光ディスク装置を示す分解斜視図である。このローディングユニット１０は、メインシャーシ１１とディスクトレイ１２と、カムスライダ１５と、クランパ１８とを備えている。
【００７９】
メインシャーシ１１は、光ディスク装置１又はローディングユニット１０の基体を成す要素である。図１１は、メインシャーシを下斜め後方から見た状態を示す斜視図である。
【００８０】
メインシャーシ１１の方形枠状体１１ｐのうちトラバースユニット５０のトレイ進出方向（（−）Ｙ方向）側端面に対向する部分に、トラバースシャーシ５１の被駆動ボス部５１ｃと係合可能な案内溝１１ｅと、トリガープレート６９のボス部６９ａと係合可能な案内溝１１ｆとが形成されている。被駆動ボス部５１ｃが案内溝１１ｅ内を移動することで、トラバースシャーシ５１の揺動側端部の移動案内がなされ、ボス部６９ａが案内溝１１ｆ内を移動することでトリガープレート６９の案内がなされる。
【００８１】
ディスクトレイ１２の一方主面側には光ディスクを所定位置に保持する凹状の受皿部１２ｆが形成されると共に、他方主面側には、該ディスクトレイ１２の進出退避方向（Ｙ軸方向）に沿ってラック部１２ａ及びトレイガイド溝が形成されている（図２参照）。このディスクトレイは、ラック部１２ａを含むディスクトレイ搬出機構によって、メインシャーシ１１に対してＹ軸方向に沿った往復動作を行って光ディスクの収納・排出動作を行う。
【００８２】
上記トレイガイド溝は、ディスクトレイ１２の進出方向側端部（（−）Ｙ方向側端部）に設けられた第１のガイド溝１２ｂと、ディスクトレイ１２の進出方向側端部から退避方向側端部（（＋）Ｙ方向側端部）からに至る第３のガイド溝１２ｄと、第１のガイド溝１２ｂと第３のガイド溝１２ｄとの間に設けられた第２のガイド溝１２ｃと、ディスクトレイ１２の退避方向側端部に設けられた第４のガイド溝１２ｅとが連続的かつ一体的に設けられた構成となっている（図２参照）。上記第１のガイド溝１２ｂはディスクトレイ１２の進出退避方向に対して直交する方向に沿って設けられ、第３のガイド溝１２ｄは前記進出退避方向に沿って設けられ、第２のガイド溝１２ｃは前記第１のガイド溝１２ｂと第３のガイド溝１２ｄとの間に前記進出退避方向に対して斜交する方向に沿って設けられている。
【００８３】
また、メインシャーシ１１のうちトラバースユニット５０のトレイ進出方向（（−）Ｙ方向）側端部の一側部に、トレイギヤ１３が支軸部１４によって回転可能に支持されている。トレイギヤ１３は、トラバースユニット５０上の第４のギヤ６８と常時噛み合う小歯車部１３ｂと、ディスクトレイ１２側に形成されたラック部１２ａと間欠的に噛み合う大歯車部１３ａとを有してる。これら大歯車部１３ａの歯数と小歯車部１３ｂの歯数とは、同数に構成されている。
【００８４】
上記ディスクトレイ１２は、そのラック部１２ａをトレイギヤ１３の大歯車部１３ａに噛合させた状態で、メインシャーシ１１の開口部１１ｈを通って当該メインシャーシ１１より進出移動或はメインシャーシ１１内に退避移動可能なように、メインシャーシ１１に組込まれている。
【００８５】
カムスライダ１５は、メインシャーシ１１のうちトラバースユニット５０のトレイ進出方向（（−）Ｙ方向）側端部に、ディスクトレイ１２の進出退避方向と直交する方向（Ｘ軸方向）に沿って往復動可能に支持されている。図１２はカムスライダ１５を示す斜視図である。
【００８６】
カムスライダ１５は、概略長尺板形状の第１片１５ｐの一側部に、略Ｌ字状に略板形状の第２片１５ｑが延設された概略形状を有している。
【００８７】
第２片１５ｑには、トラバースシャーシ５１の被駆動ボス部５１ｃと係合する第１のカム溝１５ａと、トリガープレート６９のボス部６９ａと係合する第２のカム溝１５ｂが形成されている。第１のカム溝１５ａ及び第２のカム溝１５ｂは、カムスライダ１５の一端側から他端側（（−）Ｘ方向）に向うに従って、第１片１５ｐから漸次遠ざかる（メインシャーシ１１に組込まれた状態ではディスクトレイ１２のより順次遠ざかる）傾斜溝部分を有している。
【００８８】
また、第２片１５ｑには、Ｘ軸方向に沿った移動に応じて、トラバースシャーシ５１上の第１のスイッチ７１を押圧するスイッチ押圧部１５ｅが突出形成されている。
【００８９】
一方、第１片１５ｐの一端部には、内部にトレイギヤ１３の小歯車部１３ｂを収容可能な略Ｕ字状の溝部１５ｇが形成されると共に、この溝部１５ｇの内周側一側部の先端部にトレイギヤ１３の小歯車部１３ｂに間欠的に噛合うラック部１５ｄが形成されている。溝部１５ｇの奥部には、ラック部１５ｄが形成されておらず、従って、小歯車部１３ｂは、溝部１５ｇの先端部ではラック部１５ｄと噛合し、溝部１５ｇの奥部ではラック部１５ｄと噛合せず空転するようになっている。
【００９０】
また、第１片１５ｐの一端部に、ディスクトレイ１２のガイド溝１２ｂ，１２ｃ，１２ｄ，１２ｅと順次係合するボス部１５ｃが突出形成されている。
【００９１】
このカムスライダ１５は、トレイギヤ１３の小歯車部１３ｂを溝部１５ｇ内に配設すると共に、ボス部１５ｃをディスクトレイ１２のガイド溝１２ｂ，１２ｃ，１２ｄ，１２ｅ内に挿入配置した状態で、メインシャーシ１１のトレイ進出方向側端部に、Ｘ軸方向に沿って往復動可能に支持されている。
【００９２】
なお、メインシャーシ１１のトレイ進出方向側端部には、付勢部材として捻りバネ１６が取付けられており、捻りバネ１６の片端がメインシャーシ１１に固定されると共に、他端がカムスライダ１５に固定されている（図１５〜図１７参照）。この捻りバネ１６の付勢力により、カムスライダ１５が（＋）Ｘ方向側の動作ストローク始終端でその位置を保持できるようになっている。
【００９３】
また、メインシャーシ１１の桟片１１ｑの略中央部に孔部が形成され、桟片１１ｑのディスクトレイ１２側主面の略中央部にクランパ１８が取付けられている。このクランパ１８は、ディスクトレイ１２の進出退避移動軌跡から外れた位置に取付けられており、当該進出退避移動時にディスクトレイ１２と干渉しないようになっている。このクランパ１８の内部には、マグネット１７が収納されており、マグネット１７の吸引力により、クランパ１８とターンテーブル５２との間で光ディスクを挟持する。
【００９４】
上記トラバースユニット５０が本ローディングユニット１０に組付けられた状態では、次のようになっている。
【００９５】
すなわち、トラバースシャーシ５１の一対の回動軸５１ａ，５１ｂが、メインシャーシ１１側の一対の軸受部（軸支支部１１ａ，１１ｂと軸保持部１１ｃ，１１ｄとにより構成されている）に回動自在に支持され、これによりトラバースシャーシ５１がメインシャーシ１１に対して揺動自在に支持されている。
【００９６】
また、第４のギヤ６８がトレイギヤ１３の小歯車部１３ｂに噛合っている。これにより、第４のギヤ６８の回転に応じてディスクトレイ１２がメインシャーシ１１に対して進出移動又は退避移動するようになっている。
【００９７】
さらに、トラバースシャーシ５１の被駆動ボス部５１ｃがカムスライダ１５の第１のカム溝１５ａに係合している。これにより、カムスライダ１５のＸ方向の移動に応じて、トラバースシャーシ５１がディスクトレイ１２に対して接近した姿勢（トラバースシャーシ５１がディスクトレイ１２に対して略平行な姿勢、この姿勢はターンテーブル上昇位置でもある）と、ディスクトレイ１２から離隔した姿勢（トラバースシャーシ５１のディスクトレイ１２の進出方向側端部が離隔した傾斜姿勢、この姿勢はターンテーブル下降位置でもある）との間で揺動するようになっている。
【００９８】
また、トリガープレート６９のボス部６９ａがカムスライダ１５の第２のカム溝１５ｂに係合している。これにより、トリガープレート６９のＹ軸方向の移動に応じて、カムスライダ１５がＸ軸方向に往復移動するようになっている。
【００９９】
次に、ターンテーブル昇降動作を説明する。
【０１００】
上述したようにターンテーブル昇降動作はトリガープレート６９がスライドラック５８により移動を開始させられた時点から行われる。
【０１０１】
図１３はターンテーブルが上昇した状態における光ディスク装置の主要部品の位置関係を示す斜視図であり、図１４はターンテーブルが下降した状態における光ディスク装置の主要部品の位置関係を示す斜視図である。
【０１０２】
すなわち、トリガープレート６９が移動を開始する直前の状態では、トリガープレート６９のボス部６９ａはカムスライダ１５の第２のカム溝１５ｂの縦溝部（ディスクトレイ１２側の端部）内に位置し、トラバースシャーシ５１の被駆動ボス部５１ｃはカムスライダ１５の第１のカム溝１５ａの上方水平溝部（ディスクトレイ１２側の端部）内に位置している。これにより、トラバースユニット５０がディスクトレイ１２に対して略水平姿勢、即ち、ターンテーブル５２の上昇位置姿勢が保たれた状態となっている。
【０１０３】
この状態では、カムスライダ１５は捻りばね１６により（−）Ｘ方向に付勢され、その移動可能な範囲内において（−）Ｘ方向側に位置している。従って、トレイギヤ１３の小歯車部（図示せず）はカムスライダ１５の溝部１５ｇ外にあって、カムスライダ１５のラック部１５ｄがトレイギヤ１３の小歯車部とは噛み合い状態には無い。
【０１０４】
この状態から、トリガープレート６９が（＋）Ｘ方向に移動すると、トリガープレート６９のボス部６９ａがカムスライダ１５の第２のカム溝１５ｂの縦溝部に力を伝達させ、この力を受けてカムスライダ１５が同じく（＋）Ｘ方向に移動される。カムスライダ１５がさらに移動すると、カムスライダ１５のラック部１５ｄはトレイギヤ１３の小歯車部と噛み合い、しばらくの間、カムスライダ１５はトリガープレート６９とトレイギヤ１３との両方からの駆動力を受けて、（＋）Ｘ方向に移動される。
【０１０５】
そして、トリガープレート６９が（＋）Ｘ方向に移動し、トリガープレート６９の歯部６９ｄと第３のギヤ６７の上側平歯車部６７ａとの噛み合いが外れると（図９参照）、それ以後は、トレイギヤ１３を介した駆動力によって、カムスライダ１５が（＋）Ｘ方向に移動される。このカムスライダ１５の（＋）Ｘ方向の移動により、トラバースシャーシ５１の被駆動ボス部５１ｃがカムスライダ１５の第１のカム溝１５ａの斜面によりディスクトレイ１２から離隔する方向に案内される。これにより、トラバースシャーシ５１が、回動軸５１ａ，５１ｂを中心にディスクトレイ１２から離隔する方向に揺動し、ターンテーブル５２が下降位置に移動する。
【０１０６】
上述した被駆動ボス部５１ｃとカムスライダ１５とを含む諸要素によりターンテーブル昇降機構が構成されている。
【０１０７】
上記動作の要部をより詳しく説明する。
【０１０８】
トラバースシャーシ５１の被駆動ボス部５１ｃがカムスライダ１５の第１のカム溝１５ａの上方水平溝（ディスクトレイ１２側の端部）内に配設されており、該被駆動ボス部５１ｃが当該第１のカム溝１５ａの上方水平溝内でカムスライダ１５を（＋）Ｘ方向に移動させている状態では、トラバースシャーシ５１は揺動していない。このため、カムスライダ１５のラック部１５ｄとトレイギヤ１３の小歯車部とを、その噛合い初期段階で、比較的軽負荷で噛み合わせることができる。この区間では、トリガープレート６９のボス部６９ａはメインシャーシ１１の案内溝１１ｆの横溝部（ディスクトレイ１２側の端部）内を移動する。
【０１０９】
次に、カムスライダ１５のラック部１５ｄとトレイギヤ１３の小歯車部とが完全に噛合い、トラバースシャーシ５１の被駆動ボス部５１ｃがカムスライダ１５の第１のカム溝１５ａの中間部である斜行溝部分内を移動する段階で、トラバースシャーシ５１が回動軸５１ａ，５１ｂを中心に揺動を開始する。これにより、ターンテーブル５２がクランパ１８側からの吸引力に抗して下降し始める。
【０１１０】
この区間では、まず、トリガープレート６９のボス部６９ａは、カムスライダ１５の（＋）Ｘ方向の移動とトラバースシャーシ５１の（−）Ｚ方向への移動により、メインシャーシ１１の案内溝１１ｆの中間部である斜行溝部分内を移動する。そして、トリガープレート６９と第３のギヤ６７の上側歯車部との噛み合いが外れる位置で（図９参照）、トリガープレート６９のボス部６９ａはメインシャーシ１１の案内溝１１ｆの縦溝部を移動する（図１１参照）。したがって、トリガープレート６９と第３のギヤ６７の上側平歯車部６７ａとの噛み合いが外れる位置以後は、カムスライダ１５は（＋）Ｘ方向に移動するが、トリガープレート６９のボス部６９ａはメインシャーシ１１の案内溝１１ｆの縦溝部を移動していることから、図９に示すトリガープレート６９と第３のギヤ６７の上側歯車部との噛み合いが外れた状態が維持される。
【０１１１】
これらの逆の動作により、ターンテーブル昇降動作からピックアップ搬送動作の切替えが行われる。
【０１１２】
次に、ターンテーブル昇降動作からディスク搬送動作に移行する際の第２の動作切替機構による動作を説明する。
【０１１３】
図１５は第２の動作切替え前状態における光ディスク装置を示す斜視図であり、図１６は第２の動作切替え後状態における光ディスク装置を示す斜視図であり、図１７はディスクトレイ進出動作中における光ディスク装置を示す斜視図である。なお、図１５及び図１６において、理解を容易にするために、トレイ１２をラック部１２ａとガイド溝１２ｂ，１２ｃ，１２ｄ，１２ｅのみで示してある。
【０１１４】
まず、ターンテーブル５２が上昇位置にあるとき、カムスライダ１５はその動作ストローク範囲のうち（−）Ｘ方向よりの端部に位置し、捻りばね１６により（−）Ｘ軸方向に付勢されている。また、カムスライダ１５のボス部１５ｃはトレイ１２のガイド溝１２ｂと係合している。これにより、ディスクトレイ１２が、外力などで（−）Ｙ方向に飛び出すことを阻止している。
【０１１５】
この状態では、トレイギヤ１３の大歯車部１３ａとトレイ１２のラック部１２ａは噛み合っていない。
【０１１６】
そして、ターンテーブル５２の昇降動作における下降動作が開始されると、トリガープレート６９の動作と連動してカムスライダ１５が（＋）Ｘ方向に移動され、まず、トレイギヤ１３の小歯車部１３ｂとカムスライダ１５のラック部１５ｄが噛み合う。この噛み合い後は、トレイギヤ１３の小歯車部１３ｂの回転によりカムスライダ１５がさらに（＋）Ｘ方向に移動される。カムスライダ１５の移動に連動して、該カムスライダ１５のボス部１５ｃが（＋）Ｘ方向に移動してガイド溝１２ｂからガイド溝１２ｃに達する。ボス部１５ｃがＸ軸に対して斜行するガイド溝１２ｃに達して該ガイド溝１２ｃ内を移動すると、ボス部１５ｃの（＋）Ｘ方向への移動がディスクトレイ１２を（−）Ｙ方向に移動させる力へと変換される。これにより、ディスクトレイ１２が所定量だけメインシャーシ１１内より進出移動されて、トレイギヤ１３の大歯車部１３ａとトレイ１２のラック部１２ａが噛み合うようになる。この後、カムスライダ１５のラック部１５ｄとトレイギヤ１３の小歯車部１３ｂの噛み合いが外れることにより第２の動作切り替えが完了する。
【０１１７】
つまり、上記ボス部１５ｃがガイド溝１２ｂ，１２ｃ，１２ｄ内を移動する構成によって、第２の動作切替機構としての機能が実現されている。
【０１１８】
ディスク搬送動作からターンテーブル昇降動作への切替動作は、上述した内容と逆の動作により行われる。
【０１１９】
上記の第２の動作切替えが完了すると、ラック部１２ａとトレイギヤ１３の大歯車部１３ａとの噛合により、ディスクトレイ１２の進出動作（トレイの排出動作）、つまり、光ディスクの搬送動作が行われる。
【０１２０】
このディスクトレイ１２の進出動作中、図１７に示すように、カムスライダ１５はボス部１５ｃがトレイ１２のガイド溝１２ｄに係合案内される区間で、Ｘ軸方向における位置が規制されると共に、カムスライダ１５が捻りばね１６により（＋）Ｘ軸方向に付勢されている。また、ディスクトレイ１２の排出が完了する直前の位置で、カムスライダ１５はボス部１５ｃがトレイ１２のガイド溝１２ｅにより（＋）Ｘ方向に移動させられ、この移動によりトラバースシャーシ５１上の第１のスイッチ７１はカムスライダ１５のスイッチ押圧部１５ｅに押圧されて、トレイ１２の排出位置が検出され兼用モータ６２の回転は停止される。
【０１２１】
ところで、上記第２の動作切替動作では、カムスライダ１５とディスクトレイ１２のラック部１２ａとの相対的な位置にずれが生じるような事態を防止する必要がある。すなわち、トレイギヤ１３の大歯車部１３ａとディスクトレイ１２のラック部１２ａとが噛み合いを開始する位置で、カムスライダ１５の１５ｄとトレイギヤ１３の小歯車部１３ｂとの噛合を解除可能な所定の位置に移動されている必要がある。トレイギヤ１３の大歯車部とトレイ１２のラック部１２ａと噛み合いを開始する位置で、カムスライダ１５が前記所定の位置に到達していない、或は、所定の位置を越えてしまっている場合には、ボス部１５ｃとガイド溝１２ｃ，１２ｄとの干渉等が原因で、上記第２の動作切替えの動作は正常に動作しない。
【０１２２】
従って、カムスライダ１５を駆動するトレイギヤ１３の小歯車部１３ｂとディスクトレイ１２を駆動するトレイギヤ１３の大歯車部１３ａの位相は任意の関係であってはならない。本実施の形態では、トレイギヤ１３の大歯車部１３ａと小歯車部１３ｂとについて、歯数を同数とし、かつ、歯のモジュールを異ならせている。従って、大歯車部１３ａと小歯車部１３ｂの位相が変化することは無く、各第２の切替動作時毎において、カムスライダ１５とディスクトレイ１２のラック部１２ａとの間に相対的な位置ずれが生じることなく、第２の動作切り替えは常に正常動作する。
【０１２３】
一方、カムスライダ１５はトレイギヤ１３の小歯車部１３ｂにより駆動されるので、ターンテーブルの昇降動作は比較的緩やかに行われる。したがって、動作異音が発生し易いターンテーブルの昇降動作を静粛に行うことができる。これに対して、ディスクトレイ１２は大歯車部１３ａに駆動されるので、ディスクの搬送動作は比較的高速に行われる。
【０１２４】
次に、ディスクトレイ１２が装置１内部に収納された後、光ディスク上の情報信号が再生されるまでの動作を説明する。
【０１２５】
すなわち、兼用モータ６２は上述したディスク搬出動作の際の回転方向とは逆方向に回転し、ディスク搬送機構により、ディスクトレイ１２が装置１内に収納される。
【０１２６】
ディスクトレイ１２が装置１内の所定位置に達するのに連動してカムスライダ１５が移動し、トレイギヤ１３の大歯車部１３ａとトレイ１２のラック部１２ａとの噛合が解除されると共に、カムスライダ１５が移動してラック部１５ｄとトレイギヤ１３の小歯車部１３ｂが噛合して、第２の切替動作が完了する。
【０１２７】
この後、兼用モータ６２の駆動力がトレイギヤ１３からカムスライダ１５、被駆動ボス部５１ｃを介して、ターンテーブル５２を上昇させる力として伝達され、該ターンテーブル５２が上昇する。ターンテーブル５２の上昇により光ディスクがディスクトレイ１２から持ち上げられると、クランパ１８の磁力による吸引力により、光ディスクがターンテーブル５２とクランパ１８との間に挟持される。
【０１２８】
上記カムスライダ１５がさらに移動を続けると、これに連動して、カムスライダ１５のラック部１５ｄとトレイギヤ１３の小歯車部１３ｂとの噛合が解除されると共に、スライドラック５７が移動して該スライドラック５７とフィードギヤ６４の小歯車部６４ｂとが噛み合うようになる（第１の切替動作）。これにより、兼用モータ６２の駆動力がフィードギヤ６４からスライドラック５７を介して光ピックアップ５７を移動させる力として伝達されるようになる。これにより、光ピックアップ５７は、光ディスク外周側方向に移動可能な状態となる。
【０１２９】
光ピックアップ５７が光ディスクの外周側へ所定量移動すると、光ピックアップ５７のスイッチ押圧部５７ｂと第２のスイッチ７２の押圧状態は解除され、光ピックアップ５７が動作ストロークの内周側終端より外周側の位置に移動したことを検出される。この検出状態以降、光ピックアップ５７によるディスクの情報信号が再生可能となり、この位置で兼用モータ６２の回転は一時的に停止される。
【０１３０】
そして、光ディスクはターンテーブル５２に直結されたスピンドルモータ５４により所定の回転数で回転させられると共に、ピックアップ駆動機構により光ピックアップ５７が所望のデータが存在する位置に向けてディスク半径方向に移動されて、光ディスク上に情報信号が再生される。
【０１３１】
なお、光ディスク収納後、光ピックアップ５７が最初に情報信号を読取る位置は、光ピックアップ５７のスイッチ押圧部５７ｂと第２のスイッチ７２の押圧状態が解除される押圧解除位置である。この押圧解除位置は、データエリアの最内周より外側、好ましくは僅かに外側の位置である。そして、光ピックアップ５７は押圧解除位置で光ディスク上の位置情報を読取った後、この位置情報にもとづいて一旦光ディスクにおけるデータエリアの最内周位置に移動させられる。この最内周位置を基準として、光ピックアップ５７は光ディスク上を移動して、光ディスクにおける任意の位置の情報信号を再生する。
【０１３２】
＜光ディスク装置の電源オンオフ時の動作＞
次に、この光ディスク装置の電源オンオフ時の動作について説明する。情報信号の再生を終えた後、例えば、本光ディスク装置１が組み込まれたシステムの電源がオフされると、本光ディスク装置の制御部に対して電源オフ信号が与えられる。これにより、兼用モータ６２を回転駆動させて、光ピックアップ駆動機構により、第２のスイッチ７２がスイッチ押圧部５７ｂに押圧される位置まで光ピックアップ５７を移動させる。この後、本光ディスク装置に対する電源もオフにされる。
【０１３３】
一方、例えば、本光ディスク装置１が組み込まれたシステムの電源がオフされると、本光ディスク装置１の駆動制御部８２（後述する）に対して電源オン信号が与えられる。これにより、駆動制御部８２が兼用モータ６２を回転駆動させて、光ピックアップ駆動機構により、スイッチ押圧部５７ｂと第２のスイッチ７２の押圧状態が解除される押圧解除位置まで光ピックアップ５７を移動させる。この押圧解除位置で、光ディスク上の位置情報を読み取った後、この位置情報にもとづいて光ピックアップ５７がデータエリアの最内周位置に移動させられる。この、移動後の最内周位置を基準として光ピックアップ５７が光ディスク上を移動し該光ディスク上の情報信号を再生する。
【０１３４】
なお、本光ディスク装置に対して電源オン信号が与えられたとき、第２のスイッチ７２が光ピックアップ５７のスイッチ押圧部５７ｂに押圧されていない状態の場合は、駆動制御部８２は、ピックアップ駆動機構により光ピックアップ５７を光ディスク外周側に瞬間的に駆動させ、次に、第２のスイッチ７２がスイッチ押圧部５７ｂに押圧される位置まで移動させる。そして、スイッチ押圧部５７ｂと第２のスイッチ７２の押圧状態が解除される押圧解除位置まで移動させ、この位置でディスク上の位置情報を読み取らせた後、この位置情報にもとづいてデータエリアの最内周位置に移動させ、移動後の最内周位置を基準としてディスク上の情報信号を再生する。
【０１３５】
上述のように、第２のスイッチ７２が光ピックアップ５７のスイッチ押圧部５７ｂに押圧されていない状態の場合に、光ピックアップ５７を一旦光ディスク外周側に移動させているのは、光ピックアップ５７の送り動作とターンテーブル５２の下降動作が同時に行われることを防止して、動作の信頼性を増すためである。
【０１３６】
すなわち、第２のスイッチ７２が光ピックアップ５７のスイッチ押圧部５７ｂに押圧されていない状態は、つまり、光ピックアップが光ディスクのデータエリア上にあって光ディスクの情報信号を再生可能な位置にある状態である。この状態で、何らかの理由によりトレイギヤ１３の小歯車部１３ｂとカムスライダ１５のラック部１５ｄが噛み合い可能な状態となってしまった場合を考える。この状態で、兼用モータ６２の回転により光ピックアップ５７が光ディスク内周側に駆動されると、当該兼用モータ６２の回転によりターンテーブル５２の下降動作も同時に行われることになっていまい、光ディスク装置の正常な動作が得られなくなる。
【０１３７】
しかしながら、このような状態の場合でも上記のように、光ピックアップ５７が外周側に一旦瞬間的に駆動されることにより、トリガープレート６９の歯部６９ｄが第３のギヤ６７により蹴飛ばされるように高速で移動し、トリガープレート６９と連動するカムスライダ１５はトレイギヤ１３の小歯車部１３ｂとカムスライダ１５のラック部１５ｄの噛み合い可能な位置から本来の噛み合い不能な位置に移動させられる共に捻りばね１６により当該噛み合い不能な位置に付勢される。したがって、光ピックアップ５７の送り動作とターンテーブル５２の下降動作が同時に行われることはなく、動作の信頼性を増すことができる。
【０１３８】
＜光ディスク装置に外力が加わった場合の動作＞
次に、例えば、本光ディスク装置１が組み込まれたシステムの輸送途中等に、本光ディスク装置に振動や衝撃等の外力を受けた場合の動作について説明する。
【０１３９】
通常、この光ディスク装置１が組み込まれたシステムは、ディスクトレイ１２が装置１内に収納されると共に光ピックアップ５７がスイッチ押圧部５７ｂにより第２のスイッチ７２を押圧した状態で梱包・輸送される。
【０１４０】
この場合、輸送中の振動や衝撃により、カムスライダ１５がトレイギヤ１３の小歯車部とカムスライダ１５のラック部１５ｄが噛み合い可能な位置まで移動させるような力が作用してしまうことが予想される。この場合には、上述したように、光ピックアップ５７の送り動作とターンテーブル５２の下降動作が同時に行われるといった不都合を生じる。
【０１４１】
しかしながら、この光ディスク装置１では、カムスライダ１５は捻りばね１６により本来の位置（トレイギヤ１３の小歯車部１３ｂとカムスライダ１５のラック部１５ｄとが噛み合わない位置）に保持されるように付勢されている。上記のような不都合が防止されている。
【０１４２】
また、この光ディスク装置１では、第２のスイッチ７２が光ピックアップ５７のスイッチ押圧部５７ｂに押圧されている状態では、誤作動防止壁６９ｃがスライドラック５８のボス部５８ａと当接してスライドラック５８の移動が抑止されると共に、カムスライダ１５が、トレイギヤ１３の小歯車部１３ｂとカムスライダ１５のラック部１５ｄと噛み合い可能な方向への移動を抑止された状態となっている。このため、上述したような光ピックアップ５７の送り動作とターンテーブル５２の下降動作が同時に行われるといった状態を防止できる。
【０１４３】
＜光ディスク装置における電気部品の接続構成＞
この光ディスク装置１では、電気部品として、光ピックアップ５７の他に、スピンドルモータ５４と兼用モータ６２と第１のスイッチ７１と第２のスイッチ７２と中継基板７０とを備えている。
【０１４４】
図１８は、本光ディスク装置１を用いて構成されたシステムのブロック図である。同図に示すように、図１８に示すように、光ピックアップ５７で読取られた信号が信号処理部８１を介して外部に出力され、又は、所定の信号が信号処理部８１を介して光ピックアップ５７に与えられる。また、第１のスイッチ７１と第２のスイッチ７２との各検出出力が駆動制御部８２に与えられると共に、光ピックアップ５７で読取られた位置情報が信号処理部８１を介して駆動制御部８２に与えられる。そして、駆動制御部８２の制御により図示省略の駆動回路を介してスピンドルモータ５４と兼用モータ６２との駆動制御が行われる。なお、上記信号処理部８１及び駆動制御部８２は、後述するように、当該中継基板７０を介して接続される外部の装置（基板）に組込まれていてもよいし、また、中継基板７０自体に組込んであってもよい。
【０１４５】
スピンドルモータ５４と兼用モータ６２とはそれぞれ引き出された接続線が、トラバースシャーシ５１背面（ディスクトレイ１２の反対側）に取り付けられ中継基板７０に直接半田付けされている。上記第１のスイッチ７１と第２のスイッチ７２とは、中継基板７０上に直接実装されている。
【０１４６】
この光ディスク装置では、装置１全体を駆動制御するのに必要なモータ５４，６２とスイッチ７１，７２が全てトラバースユニット５０上に配設され、そのトラバースユニット５０に取付けられた中継基板７０に集約して接続されている。このため、この中継基板７０からまとめて電気配線を取り出して装置外部の電気回路に接続することで、光ピックアップ５７を除き、本光ディスク装置における諸電気部品と外部の電気回路との接続を行うことができ、この光ディスク装置をシステムに組み込む際の電気的接続が容易になる。
【０１４７】
また、一般に、ディスクトレイ１２の進出退避状態を検出する第１のスイッチ７１は、ローディングユニット１０側に取り付けられる場合が多い。この場合、この第１のスイッチ７１と装置外部の電気回路とをコネクタ付の接続線で接続するか、もしくは、第１のスイッチ７１より引き出した接続線をトラバースユニット５０上の中継基板７０に接続線で半田付けすることとなる。前者の場合は、装置外部側でコネクタ付きの接続線を電気回路に接続する箇所が２箇所必要となり、また、後者の場合はターンテーブル昇降動作によりトラバースユニット５０が揺動するため接続線が屈曲力を受け、長期間の使用によって接続線が破断することがある。
【０１４８】
この光ディスク装置１では、第１のスイッチ７１がトラバースユニット５０上に配されており、該トラバースユニット５０に取付けられた中継基板７０と共に揺動することとなるため、それらの間を接続する電気的な配線に上述したような屈曲力が作用することはない。したがって、長期間の使用によって電気的な接続が絶たれるなどの問題も発生しない。
【０１４９】
しかも、第１のスイッチ７１と第２のスイッチ７２は、中継基板７０上に直接配されているので接続線が不用となり装置を安価に構成するのに役立つ。
【０１５０】
以上のように構成された光ディスク装置によると、ピックアップ送り動作とターンテーブル昇降動作との切替は、光ピックアップ５７とは独立した動作、即ち、スライドラック５８が光ディスクの内周側に移動する動作によって行われ、光ピックアップ５７を更に内周側へ動作させる必要はない。
【０１５１】
したがって、従来の光ディスク装置のような薄型の光ピックアップを用いる必要も無く、厚型の安価な光ピックアップを用いた光ディスク装置を構成できる。また、兼用モータ６２の回転軸を比較的短くすることができるため、光ディスクの回転軸のぶれを少なくすることができる。
【０１５２】
また、トリガープレート６９の移動は、その移動途中からスライドラック５８と第３のギヤ６７との双方を介した駆動により行われるので、トリガープレート６９は十分な駆動力を受けることができ、第１の動作切替え及びターンテーブル昇降動作を確実に行える。
【０１５３】
また、上記スライドラック５８によるトリガープレート６９の変換速度と第３のギヤのピッチ円上の周速度は一致するように設計されており、トリガープレート６９の歯部６９ｄと上記第３のギヤの間欠的な噛み合いは滑らかに行われる。
【０１５４】
なお、この光ディスク装置１のトラバースユニット５０は、第１のギヤ６５、第２のギヤ６６、第３のギヤ６７、第４のギヤ６８、トリガープレート６９の５点の部品を取り除くと、ポータブルタイプの光ディスク装置やオートチェンジャ式の光ディスク装置のトラバースユニットとして用いることができる。
【０１５５】
また、この光ディスク装置１において、例えば、ウオームギヤとモータの２点の部品を追加してトレイギヤ１３を直接駆動してディスクトレイ搬送機構及びターンテーブル昇降機構を駆動し、代りに、代わりに上記５点の部品と捻りばね１６を省略した構成とすることもできる。この場合でも、非常に部品点数の少ない光ディスク装置を得ることができる。
【０１５６】
換言すれば、本実施の形態で説明した光ディスク装置は、駆動源として３つのモータを用いた上記光ディスク装置に対して、４点（追加部品数６点−省略部品数２点）の部品追加を行うことで、２つのモータにより光ディスク装置の全動作が行える。ここで、光ディスク装置を構成する部品の中で、モータのコストはギヤ等の機構部品に比べて非常に高い。生産数量にもよるが、通常、モータ１個のコストで、ギヤが３０個程度を容易に調達できる。したがって、この発明の光ディスク装置は、駆動源として３つのモータを用いるタイプのものに比べて非常に安価に構成できる。
【０１５７】
【発明の効果】
以上のように、この発明の光ディスク装置によると、第１の動作切替手段は、兼用駆動源機構の駆動力を受けて光ピックアップとは独立した動作によって、第１の切替動作を行うため、当該第１の切替動作中に、光ピックアップを光ディスクのさらに内周側に移動させる必要はない。従って、光ピックアップと回転駆動源機構との干渉を避けつつ、同じ兼用駆動源を用いてピックアップ送り動作とターンテーブル昇降動作とを行うことができる。
【図面の簡単な説明】
【図１】この発明の実施の形態に係る光ディスク装置のディスクトレイが進出した状態を上斜め方向より見た斜視図である。
【図２】同光ディスク装置のディスクトレイが進出した状態を下斜め方向より見た斜視図である。
【図３】同光ディスク装置のディスクトレイが退避した状態を上斜め方向より見た斜視図である。
【図４】同光ディスク装置のディスクトレイが退避した状態を下斜め方向より見た斜視図である。
【図５】トラバースユニットを示す分解斜視図である。
【図６】トリガープレート６９を示す斜視図である。
【図７】光ピックアップが光ディスクの外周側の位置にある状態におけるトラバースユニットを示す斜視図である。
【図８】光ピックアップが最内周側位置に移動した状態におけるトラバースユニットを示す斜視図である。
【図９】スライドラック５８がさらに内周側に移動した状態におけるトラバースユニットを示す斜視図である。
【図１０】光ディスク装置を示す分解斜視図である。
【図１１】メインシャーシを示す斜視図である。
【図１２】カムスライダを示す斜視図である。
【図１３】ターンテーブルが上昇した状態における光ディスク装置の主要部品の位置関係を示す斜視図である。
【図１４】ターンテーブルが下降した状態における光ディスク装置の主要部品の位置関係を示す斜視図である。
【図１５】第２の動作切替え前状態における光ディスク装置を示す斜視図である。
【図１６】第２の動作切替え後状態における光ディスク装置を示す斜視図である。
【図１７】ディスクトレイ進出動作中における光ディスク装置を示す斜視図である。
【図１８】光ディスク装置を用いて構成されたシステムの一例を示すブロック図である。
【符号の説明】
１  光ディスク装置、１０  ローディングユニット、１１  メインシャーシ、１２  ディスクトレイ、１２ａ  ラック部、１２ｂ  第１のガイド溝、１２ｃ  第２のガイド溝、１２ｄ  第３のガイド溝、１３  トレイギヤ、１５  カムスライダ、１５ｃ  ボス部、１５ｄ  ラック部、１６  バネ、１８  クランパ、５０  トラバースユニット、５１  トラバースシャーシ、５１ｃ  被駆動ボス部、５２  ターンテーブル、５４  スピンドルモータ、５７  光ピックアップ、５７ａ  ラック部、５８  スライドラック、５９  バネ、６２  兼用モータ、６４  フィードギヤ、６５  第１のギヤ、６６  第２のギヤ、６７  第３のギヤ、６８第４のギヤ、６９  トリガープレート、６９ａ  ボス部、６９ｂ  カム溝、６９ｃ  誤作動防止壁、６９ｄ  歯部、７０  中継基板、７１  第１のスイッチ、７２  第２のスイッチ。
【図１】
2004185771.tif 000003
【図２】
2004185771.tif 000004
【図３】
2004185771.tif 000005
【図４】
2004185771.tif 000006
【図５】
2004185771.tif 000007
【図６】
2004185771.tif 000008
【図７】
2004185771.tif 000009
【図８】
2004185771.tif 000010
【図９】
2004185771.tif 000011
【図１０】
2004185771.tif 000012
【図１１】
2004185771.tif 000013
【図１２】
2004185771.tif 000014
【図１３】
2004185771.tif 000015
【図１４】
2004185771.tif 000016
【図１５】
2004185771.tif 000017
【図１６】
2004185771.tif 000018
【図１７】
2004185771.tif 000019
【図１８】
2004185771.tif 000020